(57)【要約】【課題】テキスト情報とマルチメディア情報とを含む複合形式のファイルから、ハイパーテキスト形式のファイルを生成する。【解決手段】サーバ装置１は、ステップＳ３０において、テキスト情報に画像データ等のマルチメディア情報が添付されてなる電子メールを受信する。次に、ステップＳ３１において、この電子メールからテキスト情報とマルチメディア情報とを抽出する。そして、ステップＳ３２において、抽出したテキスト情報を本文テキストを本文テキストとし、この本文テキストに所定のタグ情報を付与することによって、所定のレイアウトで表示可能とされたＨＴＭＬファイルを生成する。【選択図】図４
2010287248.tif 000002
【特許請求の範囲】
【請求項１】
テキスト情報とマルチメディア情報とを含む複合形式のファイルから、これらテキスト情報とマルチメディア情報とをそれぞれ抽出する情報抽出手段と、
上記情報抽出手段により抽出されたテキスト情報の内容を本文テキストとし、この本文テキストに所定のタグ情報を付与することによって、所定のレイアウトで表示可能とされたハイパーテキスト形式のファイルを生成するファイル生成手段とを備え、
上記ファイル生成手段は、上記マルチメディア情報が音声データを含むとき、この音声データの再生開始及び再生停止を操作可能にする制御盤を端末に表示させるリンクを設定するファイル生成装置。
【請求項２】
上記ファイル生成手段は、上記情報抽出手段により抽出されたマルチメディア情報に含まれるレイアウト情報に基づいて、上記ハイパーテキスト形式のファイルを生成する請求項１記載のファイル生成装置。
【請求項３】
上記ファイル生成手段は、上記情報抽出手段により抽出されたアスキー形式のマルチメディア情報からバイナリ形式のファイルを生成するとともに、上記バイナリ形式のファイルの内容が埋め込まれて表示可能とされたハイパーテキスト形式のファイルを生成する請求項１記載のファイル生成装置。
【請求項４】
上記複合形式のファイルは、ＭＩＭＥ（Multipurpose Internet Mail Extentions）で規定されたフォーマットに従ったものである請求項１乃至請求項３の内何れか１項記載のファイル生成装置。
【請求項５】
テキスト情報とマルチメディア情報とを含む複合形式のファイルから、これらテキスト情報とマルチメディア情報とをそれぞれ抽出する情報抽出ステップと、
上記情報抽出ステップにおいて抽出されたテキスト情報の内容を本文テキストとし、この本文テキストに所定のタグ情報を付与することにより、所定のレイアウトで表示可能とされたハイパーテキスト形式のファイルを生成するファイル生成ステップとを有し、
上記ファイル生成ステップでは、上記マルチメディア情報が音声データを含むとき、この音声データの再生開始及び再生停止を操作可能にする制御盤を端末に表示させるリンクを設定するファイル生成方法。
【請求項６】
テキスト情報とマルチメディア情報とを含む複合形式のファイルから、これらテキスト情報とマルチメディア情報とをそれぞれ抽出する情報抽出ステップと、
上記情報抽出ステップにおいて抽出されたテキスト情報の内容を本文テキストとし、この本文テキストに所定のタグ情報を付与することにより、所定のレイアウトで表示可能とされたハイパーテキスト形式のファイルを生成するファイル生成ステップとを有し、
上記ファイル生成ステップでは、上記マルチメディア情報が音声データを含むとき、この音声データの再生開始及び再生停止を操作可能にする制御盤を上記端末に表示させるリンクを設定するファイル生成方法をコンピュータに実行させるプログラム。
【発明の詳細な説明】
【技術分野】
【０００１】
本発明は、ハイパーテキスト形式のファイルを生成するファイル生成装置、ファイル生成方法及びプログラムに関する。
【背景技術】
【０００２】
近年、通信ネットワークを介してコンピュータ等の情報処理装置を接続し、各種情報を相互に送受信することを可能とした、いわゆるインターネット（The Internet）が目覚ましい発展を遂げている。
【０００３】
このインターネットは、様々な通信プロトコルを用いて各種の利用形態が可能とされているが、そのうちのひとつであるＨＴＴＰ（Hyper Text Transfer Protocol）を用いることにより、各種情報を共有することが可能となる。
【０００４】
この場合には、ハイパーテキスト形式で記述されたテキストファイルによって各種情報が提供されるように構成されており、本文テキストとなるテキストデータ中に「タグ」と称される記述子を加えることによって、このテキストに対して修飾を施したり、画像データや音声データを関連づけたり、特定の文字列に所定のリンク先を関連づけたりすることが可能とされている。
【０００５】
ハイパーテキスト形式のテキストファイルの種類としては、ＨＴＭＬ（HyperText Markup Language）、ＳＧＭＬ（Standard Generalized Markup Language）、及びＸＭＬ（Extensible Markup Language）などを挙げることができるが、現在のインターネットでは、主としてＨＴＭＬが用いられている。なお、以下では、ＨＴＭＬを用いて記述されたテキストファイルのことを、ＨＴＭＬファイルと称する。
【０００６】
なお、ハイパーテキストとは、複数のテキストを有機的に結合する概念のことであり、所定のテキストに含まれる用語から、この用語に関係した他のテキストを簡単に参照できるように構成されたものである。
【０００７】
そして、インターネットを利用して各種情報を共有するに際しては、本文テキストやタグ情報が記述されたＨＴＭＬファイル、画像データを含む画像ファイル、及び音声データを含む音声ファイルなどをサーバ装置に蓄積しておく。そして、サーバ装置は、他の各種情報処理装置からＨＴＴＰを用いて閲覧要求がなされたときに、この情報処理装置に対してＨＴＴＰを用いることにより、これらのファイルを送信する。このように、サーバ装置に蓄積されたファイルを、他の情報処理装置からの閲覧要求に応じて送信する構成とすることにより、各種情報を共有することが可能となる。
【０００８】
ところで、ＨＴＭＬファイルは、予め用意したテキストデータにタグの記述を加えたり、専用のアプリケーションプログラムを用いたりする手法によって作成される。なお、このようなアプリケーションプログラムは、一般にＨＴＭＬエディタと称されており、コンピュータ画面上に表示されるボタンや選択肢を選択することによってタグの記述を加えることが可能とされている。また、例えば、文字情報と画像情報とが印刷された印刷物を電子データとしてコンピュータに読み込むことにより、文字データや画像データを元の印刷物におけるレイアウトと同等にコンピュータ画面上に表示することが可能なＨＴＭＬファイルを作成するというシステムも提案されている。
【０００９】
また一方、近年では、インターネットを利用した電子メールの利用が広く普及している。電子メールは、ＳＭＴＰ（Simple Mail Transfer Protocol）やＰＯＰ（Post Office Protocol）といった通信プロトコルを用いることにより、インターネットを介して各種情報を送受信を行うことが可能とされている。
【００１０】
電子メールにおいては、本文テキストに相当するテキストデータの他に、画像情報や音声情報等のマルチメディア情報を「添付」して送受信することが可能とされている。このようなマルチメディア情報は、一般にバイナリ形式のデータであるが、電子メールに添付される際には、テキストデータ、すなわちアスキー形式のデータにエンコードされて添付されることが一般的である。
【００１１】
電子メールでは、マルチメディア情報を本文テキストに「添付」する形で送受信することが可能とされており、従来のようにＦＴＰ（File Transfer Protocol）を用いて送受信する場合よりも比較的簡便に行うことが可能である。
【先行技術文献】
【特許文献】
【００１２】
【特許文献１】特開２０００−２７６４１７号公報
【発明の概要】
【発明が解決しようとする課題】
【００１３】
ところで、近年では、上述したような電子メールの利用が、据え置き型やノート型のような各種コンピュータ装置からだけでなく、ＰＤＡ（Personal Digital Assistant）機器と称されるような携帯型の情報端末装置や、携帯型の電話機（以下、携帯電話という。）などによっても可能であることが一般的である。また、このようなＰＤＡ機器や携帯電話によっても、画像情報や音声情報等のマルチメディア情報を電子メールに添付して送受信することが比較的簡便に行うことが可能となりつつある。
【００１４】
そこで、上述したようにインターネットを利用して各種情報を共有するに際して、ＨＴＭＬファイルによって表示する内容を、電子メールを利用してサーバ装置に送信したいという要求が高まりつつある。これにより、従来のようにＦＴＰを利用する場合よりも、比較的簡便に各種ファイルをサーバ装置に送信することが可能となる。
【００１５】
しかしながら、この場合には、電子メールを受信したサーバ装置の側でＨＴＭＬファイルを生成する必要が生じてしまうが、従来はこのようにしてＨＴＭＬファイルを生成する手法が存在していなかった。
【００１６】
そこで、本発明は、上述した従来の課題を解決して、テキスト情報とマルチメディア情報とを含む複合形式のファイルから、このテキスト情報を本文テキストとするハイパーテキスト形式のファイルを生成するファイル生成装置、ファイル生成方法及びプログラムを提供することを目的とする。
【課題を解決するための手段】
【００１７】
上述した目的を達成するために、本発明に係るファイル生成装置は、テキスト情報とマルチメディア情報とを含む複合形式のファイルから、これらテキスト情報とマルチメディア情報とをそれぞれ抽出する情報抽出手段と、上記情報抽出手段により抽出されたテキスト情報の内容を本文テキストとし、この本文テキストに所定のタグ情報を付与することによって、所定のレイアウトで表示可能とされたハイパーテキスト形式のファイルを生成するファイル生成手段とを備え、上記ファイル生成手段は、上記マルチメディア情報が音声データを含むとき、この音声データの再生開始及び再生停止を操作可能にする制御盤を上記端末に表示させるリンクを設定する。
【００１８】
また、本発明に係るファイル生成方法は、テキスト情報とマルチメディア情報とを含む複合形式のファイルから、これらテキスト情報とマルチメディア情報とをそれぞれ抽出する情報抽出ステップと、上記情報抽出ステップにおいて抽出されたテキスト情報の内容を本文テキストとし、この本文テキストに所定のタグ情報を付与することにより、所定のレイアウトで表示可能とされたハイパーテキスト形式のファイルを生成するファイル生成ステップとを有し、上記ファイル生成ステップでは、上記マルチメディア情報が音声データを含むとき、この音声データの再生開始及び再生停止を操作可能にする制御盤を上記端末に表示させるリンクを設定する。また、本発明は、上記情報をコンピュータに実行させるプログラムである。
【発明の効果】
【００１９】
本発明は、複合形式のファイルに含まれるテキスト情報を本文テキストとするハイパーテキスト形式のファイルを生成することができる。したがって、例えば、画像情報や音声情報等のマルチメディア情報を電子メールに添付した形でファイル生成装置に送信することにより、このファイル生成装置によってハイパーテキスト形式のファイルを生成することができ、電子メールの作成者が自らタグを記述してハイパーテキスト形式のファイルを作成する必要がない。したがって、例えば、各種ＰＤＡ機器や携帯電話などのような携帯型の情報処理装置によって作成した電子メールに、これら情報処理装置によって取得した画像情報や音声情報を添付し、この電子メールをファイル生成装置に送信するだけで、ハイパーテキスト形式のファイルを生成することができる。そして、このハイパーテキスト形式のファイルを用いて、情報を広く公開することが極めて簡便に行うことが可能となる。
【図面の簡単な説明】
【００２０】
【図１】本発明に係るファイル生成装置の一構成例として示すサーバ装置と、他の情報処理装置との接続関係を示す概略図である。
【図２】同サーバ装置を示す概略構成図である。
【図３】同サーバ装置が受信する電子メールのデータ構造を示す概略図である。
【図４】同サーバ装置の動作の一例を示すフローチャートである。
【図５】同サーバ装置が受信する電子メールにおける本文テキストの一例を示す概略図である。
【図６】同サーバ装置が受信する電子メールに添付される画像データの一例を示す概略図であり、（ａ）は第１の画像データの内容を示し、（ｂ）は第２の画像データの内容を示し、（ｃ）は第３の画像データの内容を示す。
【図７】同サーバ装置が、受信した電子メールに基づいて生成するＨＴＭＬファイルが所定のレイアウトで表示された状態を示す概略図である。
【発明を実施するための形態】
【００２１】
以下、本発明の実施の形態について、図面を参照しながら詳細に説明する。以下では、通信回線により構成されたインターネット（The Internet）によって複数の情報処理装置が相互に接続されてなる情報ネットワークにおけるサーバ装置に対して本発明を適用した場合の一例について説明する。
【００２２】
ただし本発明は、以下で説明する例に限定されるものではなく、テキスト情報とマルチメディア情報とを含む複合形式のファイルから、このテキスト情報を本文テキストとするハイパーテキスト形式のファイルを生成する場合に広く適用することができ、本発明の要旨を逸脱しない範囲において種々の変更が可能であることは勿論である。
【００２３】
本発明を適用するサーバ装置１は、例えば、図１に示すような情報ネットワーク１０における情報処理装置のひとつとして配設される。情報ネットワーク１０においては、サーバ装置１の他に、コンピュータ装置１１ａ，１１ｂ或いは携帯型情報端末１２ａ，１２ｂ等のような複数の情報処理装置がインターネット１３を介して相互に接続されており、各種情報を互いに送受信可能とされている。
【００２４】
ここで、携帯型情報端末１２ａ，１２ｂとしては、例えば、一般にＰＤＡ（Personal Data Assistant）機器と称されるような個人情報の管理を行う携帯型の情報処理装置や、或いはインターネット１３への接続機能を有する携帯型電話機などを挙げることができる。
【００２５】
また、これらコンピュータ装置１１ａ，１１ｂ及び携帯型情報端末１２ａ，１２ｂには、例えば、画像をデジタルデータとして撮像するためのＣＣＤカメラや、音声をデジタルデータとして録音するためのマイクなどが取り付けられている。そして、これらのデジタルデータを電子メールに添付し、インターネット１３を介してサーバ装置１に送信することが可能とされている。
【００２６】
インターネット１３は、いわゆるＴＣＰ／ＩＰプロトコルによって、サーバ装置１及び複数の情報処理装置が相互に接続されており、例えばＦＴＰ（File Transfer Protocol）やＨＴＴＰ（Hyper Text Transfer Protocol）等を用いることによって各種情報（ファイル）を相互に送受信することが可能とされている。また、インターネット１３においては、ＳＭＴＰ（Simple Mail Transfer Protocol）やＰＯＰ（Post Office Protocol）等を用いることによって、電子メールを送受信することが可能とされている。なお、サーバ装置１及び各々の情報処理装置間は、有線接続されていてもよいし、無線接続されていてもよい。
【００２７】
情報ネットワーク１０においては、関連付けデータとなるハイパーテキスト形式のファイルとして、ＨＴＭＬ（Hyper Text Markup Language）を用いて「タグ」を記述するファイルが広く一般に用いられている。
【００２８】
なお、以下では、テキスト形式のファイルを単に「テキストファイル」と称し、ハイパーテキスト形式のひとつであるＨＴＭＬ形式のファイルを単に「ＨＴＭＬファイル」と称する。
【００２９】
ＨＴＭＬファイルは、本文となるテキストデータの中に「タグ」と称される記述子が記述されており、この「タグ」によって、テキストに対して修飾を施したり、画像データや音声データを関連づけたり、特定の文字列に所定のリンク先を関連づけたりすることが可能とされている。
【００３０】
そして、情報ネットワーク１０においては、コンピュータ装置１１ａ，１１ｂや携帯型情報端末１２ａ，１２ｂからサーバ装置１に対して電子メールが送信されたときに、この電子メールに基づいて、サーバ装置１がＨＴＭＬファイルを生成するように構成されている。
【００３１】
このとき、サーバ装置１に送信される電子メールは、第１の形式の本文テキストとしてのテキスト情報と、各情報処理装置によって撮像／録音された画像データや音声データが添付されてなる第２の形式となるマルチメディア情報とから構成されており、いわば複合形式のファイルである。ただし、一般に電子メールでは、画像データや音声データをバイナリ形式のファイルとして送信することができない。このため、サーバ装置１に送信される電子メールは、バイナリデータである画像データや音声データが所定のフォーマットによりエンコードされてアスキー形式のデータとされており、このようなアスキー形式のデータが本文テキストに添付される。
【００３２】
このようにして、電子メールの第１の形式の本文テキストに第２の形式のマルチメディア情報を添付するに際しては、特定のフォーマットに限定されるものではないが、現在広く用いられているＭＩＭＥ（Multipurpose Internet Mail Extentions）で規定されたフォーマットに従うことが望ましい。これにより、サーバ装置１に対して電子メールを送信するために、各情報処理装置に特別なアプリケーションプログラムを用意する必要がなく、情報処理装置に搭載された一般的な電子メール送信用のアプリケーションプログラムを用いて電子メールをサーバ装置１に送信することができる。
【００３３】
すなわち、サーバ装置１に送信される電子メールは、図３に示すように、ヘッダ情報と、本文テキストの内容を示すテキスト情報と、画像データや音声データがエンコードされてなるマルチメディア情報とが順に連結されたデータ構造とされたアスキー形式のファイルである。なお、ヘッダ情報には、例えば、この電子メールの送信先のメールアドレス、発信元のメールアドレス、この電子メールを作成した日時、この電子メールを作成したアプリケーションプログラムなどを示す情報が含まれる。また、マルチメディア情報としては、複数の画像データや音声データを含むものであってもよい。
【００３４】
つぎに、サーバ装置１について、図２を参照しながら説明する。サーバ装置１は、図２に示すように、各種の情報に対して演算処理を行うとともに他の各部の動作を制御するＣＰＵ（Central Processing Unit）２０と、インターネット１３を介して各種情報の送受信を行う通信インタフェース２１と、ＣＰＵ２０に対する外部記憶装置としてのハードディスク装置２２と、ＣＰＵ２０により処理される情報を一時保持するメモリ２３とを備える。
【００３５】
ＣＰＵ２０は、半導体素子により構成されており、メモリ２３に保持されたアプリケーションプログラムに記述された動作手順に従って、サーバ装置１の各部の動作を制御するとともに、各種情報に対する演算処理などを行う。
【００３６】
通信インタフェース２１は、インターネット１３を介して他の情報処理装置に対する各種情報の送受信を行う機能を有している。通信インタフェース２１は、例えば、公衆電話回線や専用線などを用いた有線接続によってインターネット１３と接続可能とされていてもよいし、赤外線や電波を用いた無線接続によってインターネット１３と接続可能とされていてもよい。
【００３７】
また、通信インタフェース２１は、他の情報処理装置から送信された電子メールを受信することが可能とされているとともに、他の情報処理装置によってなされたＨＴＭＬファイルの閲覧要求を受信する。そして、閲覧要求がなされた情報処理装置に対して、受信した電子メールに基づいて生成したＨＴＭＬファイルを、通信インタフェース２１によって送信することが可能とされている。このとき、通信インタフェース２１は、例えばＳＭＴＰをプロトコルとして用いることによって電子メールを受信するとともに、例えばＨＴＴＰをプロトコルとして用いることによって、他の情報処理装置からなされる閲覧要求を受信し、この情報処理装置に対してＨＴＭＬファイルを送信する。
【００３８】
ハードディスク装置２２は、ＣＰＵ２０に対する外部記憶装置としての機能を有しており、通信インタフェース２１によって受信した電子メールと、この電子メールに基づいて生成したＨＴＭＬファイルとを蓄積する。
【００３９】
メモリ２３は、各種半導体素子によって、保持する内容を書き換え可能として構成されている。サーバ装置１においては、このメモリ２３に、ＣＰＵ２０により演算処理を行う処理手順が記述されたアプリケーションプログラムが保持されている。
【００４０】
つぎに、以上のように構成されたサーバ装置１の具体的な動作の一例について、図４に示すフローチャートに沿って説明する。なお、以下の説明でＣＰＵ２０が行う処理は、メモリ２３に保持されたアプリケーションプログラムに記載された処理手順に従ってなされるものである。
【００４１】
サーバ装置１は、先ず、図４に示すステップＳ３０において、通信インタフェース２１によって、他の情報処理装置、例えば携帯型情報端末１２ａ，１２ｂ等から送信された電子メールを受信する。このとき受信する電子メールは、図３に示すようなデータ構造とされており、例えば、テキスト情報として図５に示すような本文テキストと、マルチメディア情報として図６に示すような３つの画像データとを含むとする。第１の形式の本文テキストは電子メールの本文データとなるものであり、３つの画像データは、第２の形式の電子メールの添付データとなるものである。サーバ装置１は、このとき受信した電子メールを、ハードディスク装置２２に一時蓄積する。
【００４２】
次に、ステップＳ３１においては、メモリ２３に保持されたアプリケーションプログラムに記述された処理手順に従ってＣＰＵ２０が動作することにより、ハードディスク装置２２に蓄積された電子メールから、本文テキストと各々の画像データとを分離し、それぞれ抽出する。すなわち、サーバ装置１においては、ＣＰＵ２０が、電子メールからテキスト情報とマルチメディア情報とをそれぞれ抽出する情報抽出手段としての機能を有している。
【００４３】
次に、ステップＳ３２において、ＣＰＵ２０は、ステップＳ３１で抽出した本文テキストに所定のタグを付与することによって、所定のレイアウトで表示可能とされたＨＴＭＬファイルを生成する。また、ステップＳ３１で抽出した各々の画像データを含むバイナリ形式の画像ファイルを、アスキー形式の画像ファイルからそれぞれ生成する。すなわち、サーバ装置１においては、ＣＰＵ２０がファイル生成手段としての機能を有している。
【００４４】
なお、このステップＳ３２において、ＣＰＵ２０は、電子メールから抽出された本文テキストに対して、予め設定された例えば日記形式といった所定のレイアウトで表示可能となるようにタグを付与することによってＨＴＭＬファイルを生成する。このとき、生成するＨＴＭＬファイルをどのようなレイアウトで表示可能とするか、すなわち、どのようなフォーマットで本文テキストに対してタグを付与するかは、ＣＰＵ２０の処理手順を示すアプリケーションプログラム中に記述されているとすればよい。また、ハードディスク装置２２に所定のレイアウトで表示可能とされて予め用意されたＨＴＭＬファイル（以下、テンプレートファイルと称する。）を用い、このテンプレートファイル中に本文テキストを挿入したり、画像ファイルに対するリンクを挿入することによって、所定のレイアウトで表示可能なＨＴＭＬファイルを生成してもよい。
【００４５】
次に、ステップＳ３３において、ＣＰＵ２０は、ステップＳ３２において生成したＨＴＭＬファイル及び複数の画像ファイルを、ハードディスク装置２２に蓄積する。これにより、ハードディスク装置２２には、受信した電子メールの本文テキストの内容に基づいて生成したＨＴＭＬファイルが蓄積されることとなる。
【００４６】
また、サーバ装置１は、ステップＳ３４に示すように、他の情報処理装置からの閲覧要求を通信インタフェース２１を介して受信すると、ステップＳ３５に示すように、この情報処理装置に対して、閲覧要求に応じたＨＴＭＬファイルを送信する。このとき、ＨＴＭＬファイルとともに、このＨＴＭＬファイル中に記述されたタグによって示される画像ファイルも送信する。
【００４７】
そして、ＨＴＭＬファイル及び画像ファイルを受信した情報処理装置は、ＨＴＭＬファイル中に記述されたタグを解析することにより、例えば図７に示すようなレイアウトで本文テキスト及び画像ファイルを表示部に表示する。
【００４８】
サーバ装置１は、以上のように動作することによって、本文テキストと画像データとを含む電子メールを受信し、所定のレイアウトで表示可能とされたＨＴＭＬファイルを生成する。このため、サーバ装置１を用いることにより、電子メールをサーバ装置１に送信するだけでＨＴＭＬファイルを生成することができ、作成者が本文テキストに自らタグを記述してＨＴＭＬファイルを作成する必要がない。
【００４９】
なお、上述の説明においては、本文テキストに３つの画像データがマルチメディア情報として添付されてなる電子メールに基づいてＨＴＭＬファイルを生成する場合について説明しているが、サーバ装置１は、添付するマルチメディア情報の数や種類に限定されるものではなく、例えば、音声データなどを電子メールに添付するとしてもよい。なお、電子メールに音声データが添付される場合には、図４中に示すステップＳ３２で生成するＨＴＭＬファイルとしては、本文テキストに、この音声情報の再生開始や再生停止を情報処理装置の画面上で操作可能な制御盤を表示するようにリンクを設定すればよい。
【００５０】
また、電子メールに添付するマルチメディア情報としては、画像データや音声データに限定されるものではなく、例えば、この電子メールを作成した時刻を示す時刻情報であってもよい。この場合には、電子メールを送信する情報処理装置の側に、例えば、時刻情報を取得するための時計機能を搭載しておき、これより取得した時刻情報を電子メールに添付して、サーバ装置１に送信する。そして、サーバ装置１では、図４中に示すステップＳ３２において、時刻情報を表示可能とするレイアウトでＨＴＭＬファイルを生成する。
【００５１】
また、マルチメディア情報としては、サーバ装置１によって生成するＨＴＭＬファイルをどのようなレイアウトで表示可能とするかを示すレイアウト情報を含めるとしてもよい。この場合にサーバ装置１は、電子メールに添付されたレイアウト情報に基づいて、所定のレイアウトで表示可能とされたＨＴＭＬファイルを生成する。これにより、ＨＴＭＬファイルのレイアウトを電子メールの作成者が適宜選択することが可能となり、生成するＨＴＭＬファイルの自由度を向上させることができる。
【００５２】
さらに具体的には、例えば、サーバ装置１のハードディスク装置２２などに、予め複数のテンプレートファイルを用意しておき、電子メールに添付するレイアウト情報によって、いずれのテンプレートファイルを用いてＨＴＭＬファイルを生成するかを指定する。これにより、例えば、日記形式で電子メールの作成日時毎に表示することが可能なテンプレートファイルを用いることを選択し、このレイアウトに沿ってＨＴＭＬファイルを生成することが可能となる。
【符号の説明】
【００５３】
１ サーバ装置、１０ 情報ネットワーク、１１ａ，１１ｂ コンピュータ装置、１２ａ，１２ｂ 携帯型情報端末、１３ インターネット、２０ ＣＰＵ、２１ 通信インタフェース、２２ ハードディスク装置、２３ メモリ
【図１】
2010287248.tif 000003
【図２】
2010287248.tif 000004
【図３】
2010287248.tif 000005
【図４】
2010287248.tif 000006
【図５】
2010287248.tif 000007
【図６】
2010287248.tif 000008
【図７】
2010287248.tif 000009